(57)【要約】  本発明は、申請者の身分証明文書を作成するためにテキストデータおよび画像データをキャプチャする方法であって、適当な記録方法を用いて申請者についての電子画像データが記録されるステップと、適当な方法を用いて上記申請者についての電子テキストデータが入力されるステップと、記録された画像データおよび入力されたテキストデータから電子データ記録が生成されるステップと、認定された署名を用いてデータ記録が署名されるステップとを備える方法に関する。【選択図】  図１
2008518335.tif 000002
【特許請求の範囲】
【請求項１】
申請者についての身分証明文書を作成するためにテキストデータおよび／または画像データをキャプチャする方法であって、
適当な記録方法を用いて前記申請者の電子画像データを記録するステップと、
適当な手動または自動的な方法を用いてこの申請者についての電子テキストデータを入力するステップと、
前記記録された画像データおよび前記入力されたテキストデータの電子データセットを生成するステップと、
認定された署名を用いて前記データセットに署名させるステップと、
を備える方法。
【請求項２】
前記データセットが署名される前に、前記データセットをチェックし、必要に応じて訂正する追加のステップを特徴とする、請求項１に記載の方法。
【請求項３】
前記生成されたデータセットを発行し、前記発行されたデータセットに前記申請者によりデジタル的にまたは手書きで署名させる追加のステップを特徴とする、請求項１または２に記載の方法。
【請求項４】
前記データセットが電子的に署名および／または電子的に記憶されることを特徴とする、請求項１〜３のいずれか一項に記載の方法。
【請求項５】
必要に応じて符号化形式で前記署名されたデータセットを、例えば前記身分証明文書を発行する機関および／または身分証明文書の作成者に送信する追加のステップを特徴とする、請求項１〜４のいずれか一項に記載の方法。
【請求項６】
前記署名されたデータセットが電子的および／または物理的に記憶されることを特徴とする、請求項１〜５のいずれか一項に記載の方法。
【請求項７】
前記データセットを前記身分証明文書の作成および前記申請者への前記身分証明文書の発行に用いる追加のステップを特徴とする、請求項６に記載の方法。
【請求項８】
前記申請者の既存の身分証明文書用の読取装置を用いて、前記テキストデータおよび／または前記画像データが部分的または完全に読み取られることを特徴とする、請求項１〜７のいずれか一項に記載の方法。
【請求項９】
前記申請者が既に署名カードを有している場合に、前記データセットが前記申請者によって署名されることを特徴とする、請求項１〜８のいずれか一項に記載の方法。
【請求項１０】
追加の識別画像特性としての前記画像データが、公的な身分証明文書（身分証明書類、パスポート）のコピーを含む、請求項１〜９のいずれか一項に記載の方法。
【発明の詳細な説明】
【発明の詳細な説明】
【０００１】
本発明は、例えば、パスポート、身分証明カード、運転免許証、マイクロチップ付きカード、署名カード、電子健康記録、デビットおよびクレジットカード、ならびに他の身元を証明するもの、顧客カード、旅客切符、会員証、個人入館証等を含む身分証明文書を作成するためのテキストデータおよび／または画像データをキャプチャする方法に関する。同様に、本方法は、通常、紙および／またはプラスチックおよび／または他の部分が無く、付属品がなくとも肉眼で読み取ることが可能な厳密な電子記憶媒体用のデータのキャプチャにも用いることが可能である。現時点で、このような記憶媒体の例は、記憶集積回路、ＲＦＩＤ記憶媒体等である。このような身分証明文書または記憶媒体は、テキストデータおよび／または画像データを含み、テキストデータは、例えば、名前、生年月日、保険データ、顧客番号等であり、および／または申請者の職能（医師、部長等）、および／または身分証明文書の目的（旅客切符、搭乗券等）および／または身元の証明となるものに関連した権限（乗用車および／またはトラックの運転免許証、保険の補償期限）を記載し、画像データは、例えば、パスポート写真、署名または指紋または虹彩画像等のその他のバイオメトリックデータである。
【０００２】
上記の「身分証明文書」、「記憶媒体」、「画像データ」および「テキストデータ」の定義は、以下の節にも適用される。本方法は、動物用（保険証、血統書、ＲＦＩＤチップ等）および物品用、特にグッズ、備品および物件（芸術作品、宝飾品に関する鑑定報告書等）の身分証明文書にも転用可能である。
【０００３】
申請者の身元をチェックし、テキストデータ（管理データ）と一致させることにより、写真を高い信頼性で身分証明文書に掲載することが、長きにわたって模索してきた要件である。比較的高コストな身分証明文書作成方法が、ＤＥ１９５０８２４９Ｃ２に記載されている。
【０００４】
この主に身分証明文書の申請書提出用に用いられる方法は、紙ベースである。申請者は手書きで用紙に記入し、写真を貼る（糊付けが大半でホッチキス留めはほとんどない）。しかし、写真と申請者の同一性が保証されないためこの方法は適切でない。これまで、市場に出回っている身元を検証する方法は、管理データをチェックする（さらに任意で署名を入手する）だけで、写真または署名が申請者のものかどうかについてはチェックしていない。しかし、それでは、署名カードの写真の同一性に関する署名法（Ｓｉｇｎａｔｕｒｅ  Ｌａｗ）の要件が考慮されない。医療従事者、電子健康記録等の身分証明カードの写真の同一性に関する要件も、これらの紙ベースの方法では満たされない。
【０００５】
前もって管理データが既に記入されている申請用紙を申請者が入手可能となっていれば、申請者が手書きで修正しなければならない可能性がある。しかし、ここで、手書きにより全て記入された申請用紙のように、申請用紙のスキャンプロセス中およびそれに続くＩＣＲソフトウェア（機械生成テキスト認識用のＯＣＲ法に対して、手書き文字の認識用インテリジェント文字認識ソフトウェア）による管理データの処理中にエラーが発生し、これらのエラーが身分証明カードの発行者によって訂正不可能となるというリスクが増大する。写真画質の不備も、被写体の選択に関する以外のコントラスト、色合い、写真サイズに関してのみ最適化が可能である。
【０００６】
写真画像または写真を身分証明カードに掲載する別の可能性は、将来のカード所有者が適当な撮影者または写真をコピーする場所（自動写真コピー機等）に行き、そこで写真を作成してもらい、適当な写真を選んでから、自分でこの写真を身分証明文書を発行するオフィスに持って行くか写真を郵送または電子メールで送るところにある。結局、これらの手段には、データ保護に関連して多少なりとも画質および同一性要件を満たすものがない。他の電子的に記録されたバイオメトリックデータについても同じことが言える。
【０００７】
上記で挙げた身分証明文書の全てについて、所有者の写真画像を身分証明文書に貼る必要がある。同様に、写真および／または他のバイオメトリックな識別特徴を身分証明文書のチップに入れることもできる。これは、あらゆる種類の身分証明文書の将来の使用者が、自分の写真が作成される作成オフィスや撮影者または自動写真コピー機まで出向くことなく、前もってまたは後で自分の身元および管理情報をチェックしてもらえることを意味する。
【０００８】
しかし、ここでは写真の同一性はチェックされない。写真の同一性（疑惑がないわけではない）、写真の画質、ならびに写真と組み合わせた管理情報の同一性の保証が、説明したプロセスの不利な点のいくつかである。
【０００９】
現時点では、同一性を高い信頼性でチェックするだけでなく、写真を高信頼でチェックし、続いて身分証明データおよび写真を中央オフィスに高信頼で移送することを可能にする方法はない。プロセス連鎖の後期、すなわち身分証明文書を作成する直前にしかエラーを認識できないことが、説明した方法の別の不利な点であることも述べるべきであろう。サイズ違いまたは画質の不足は、画質を改善するために補正が必須でありまたこの補正のコストが高いために、明らかに時間のロスだけでなく高いプロセスコストにつながる。マイナスのケースでは、モチーフの選択のせいで手書きで補正できないため、プロセスを終わらせなければならない。
【００１０】
写真に示された個人の同一性の疑問は、完全には答えがないままである。写真を用いるだけで身分証明文書を作成する中央オフィスでは、このチェックを行うことができない。このことは同様に、他の電子的に記録されたバイオメトリック識別特徴（指紋や虹彩スキャン等）の場合にも言える。
【００１１】
そこに含まれるエラー源および不正操作の可能性を含む全ての従来の方法について、身分証明文書が所有者に交付されるまでのプロセス全体の期間が、特に地域全体の発行について全く不十分である。
【００１２】
写真の作成から身分証明文書の作成までの全ての中間の処理ステップを実行可能な分散型システムは極端に高価であり、一般に良く訓練された作業員も必要とするが、この作業員は自分の時間がフルに別の作業で使われていない場合には、それに加えて異なる種類の作業を任されざるを得ない。さらに、このような方法については、どのようにして申請者の身元、テキストデータおよび画像データ間での不正操作を防止し、法的拘束のある、永久的な、理解可能な、疑惑のないアサインメントが保証されるが記載されていない。
【００１３】
身分証明カードまたは写真を有するカードの作成についての異なる態様に関連する複数の文献および刊行物が知られている。しかし、それらは写真をラミネートに入れて適当な媒体を用いて印刷するまでの厳密に技術的な方法に集中している。
【００１４】
例えば、ＪＰ５−２９００６３Ａは、従来のカードフォーマットでの身分証明カードの作成方法を開示している。将来のカード所有者は、写真撮影オフィスに行って、そこでビデオカメラを用いて写真撮影される。同一性データは同様に別のビデオカメラでキャプチャされ、写真データとともにカード作成オフィスに送られる。
【００１５】
米国特許４，６７８，５２６号（Ｗｉｌｆｅｒｔ）は、写真をビデオカメラで撮影し、デジタルデータシーケンスに変換してスクリーン上に再生することを提案している。他のデータは、ビデオカメラでスクリーンへと供給され、キーボードを用いて補助的な処理およびデータを追加することもでき、その後同様に処理することもできる。続いて、このデータはレーザープリンタに到達し、得られたポートレートと他のデータを１枚の紙上に印刷する。次に、この紙が透明な熱可塑性材料の２層間に送られ、熱および圧力の作用の下にこれらの層でラミネートされる。
【００１６】
画像データを有する身分証明文書を作成する既知の方法および可能性は、費用効果の高い身分証明文書作成には適していない。これに対し、特定の個人へのテキストデータおよび画像データの偽造防止および一義的なアサインメントが保証される。
【００１７】
したがって、本発明の目的は、身分証明文書作成のためにテキストデータおよび画像データをキャプチャする方法を示すことであり、疑惑無しに、不正操作を防止し、法的拘束のある、永久的な、理解可能な方法で、申請者の個人データおよび／または同一性とともに含まれるテキストおよび画像情報を確実に対応させる。
【００１８】
この目的は、以下のステップを含む方法により達成される。
・適当な記録方法（パスポート写真用のデジタルカメラおよび／または虹彩の写真用の虹彩スキャナおよび／または署名用のタッチスクリーン等）を用いて個人の画像データを記録するステップ。
・適当な手動または自動的な方法（身分証明カードの読み取り、健康保険証に記憶された情報での読み取り等）を用いてこの個人用のテキストデータを入力するステップ。
・記録された画像データおよび入力されたテキストデータのデータセットを生成するステップ。
・認定された署名を用いて記録作業員によりデータセットに署名させるステップ。
【００１９】
本方法の別の有利なステップは、請求項２〜１０に記載されている。
【００２０】
本発明の方法は、それぞれの身分証明文書に必要な画像データおよび／またはテキストデータをデータ処理装置に取り込んで検証し、このデータを申請書が作成される際の通常のデータセットに組み合わせるという利点を持つ。これは、適切に訓練および／または認定された記録作業員の監視下で行われ、したがって、例えば、写真が高画質かつ適正な画像区画を有する適正なフォーマットで作成される。そのようにして得られたデータセットは、次に記録作業員により署名される。身分証明文書の作成に必要な全てのさらなるステップは、申請者を関与させることなく行うことができる。
【００２１】
本発明は、主に個人に画像データおよび／またはテキストデータを含む身分証明文書を与える方法に関するが、同一性および信頼性の保証に関して高い要件を前提としている。
【００２２】
本発明の方法は、セキュリティ要件を監視しつつ最新の電子的方法を用いて、以前は申請者の物理的な写真に頼っていたパスポート用の個人の身分証明書類作成のためのプロセス連鎖をも最適化するための道を開くものである。
【００２３】
署名法の要件の観点では、その場で入手した完全なデータセットを印刷して申請者に署名させることができるのは、特に有利である。次に、署名されたデータセットを既知の方法、好ましくは電子的手段によって記憶し、記録作業員により電子署名を与えることができる。このように、本発明の方法は、将来の所有者の信頼性または身分証明文書および法的安全性に関して最高の要件をも満たすものである。続いて、署名された紙の文書を保管することもできる。
【００２４】
よって、このように、申請者および電子データセット間の同一性に関する高い保証をもって、写真、バイオメトリックデータ、署名および管理データに関連する高画質の写真、署名および／または他のバイオメトリック識別特徴とともに、身分証明文書を作成可能である。写真またはより低い画質（コントラスト、サイズ、モチーフの選択、鮮鋭度、解像度）の他の画像データを後から手で訂正または選択したり、あるいはモチーフの選択違い、不十分なバイオメトリック識別特徴または管理データ違いのために後日再発行したりといった手間を省くことができる。
【００２５】
紙ベース用途に対する別の利点は、テキストデータおよび画像データのスキャンプロセスを完全に省くだけでなく、その場でデータを記録してから身分証明文書を発行するまでの時間短縮である。手書きで作成された申請用紙のＩＣＲ処理の困難さをここでは回避することが可能である（特に、送付されてきた写真に関する疑問点）。
【００２６】
身分証明文書作成に必要な別のステップは、既知の方法で実行可能である。これらのステップには、例えば、必要に応じて、身分証明文書を発行するオフィスへのデータセットの符号化移送が含まれ、必要に応じて、移送された書類が復号化され、必要に応じて、別のデータにより補完されて作成部門（Ｐｒｏｄｕｃｔｉｏｎ  Ｄｅｐａｒｔｍｅｎｔ）に送られる。
【００２７】
本発明の基本概念は、身分証明文書作成中に
１．写真が載った紙ベースの申請用紙を最初から大幅に電子的な方法に置き換え、
２．テキストデータ（管理データ）および画像データ（写真、他のバイオメトリック識別特徴、署名）に関する申請者の同一性が保証され、
３．テキストおよび画像データから生成されたデータセットが、身分証明文書を発行するオフィスにより指示された個人により申請者の身元と比較され、電子署名により偽造に対する保護が可能となる、ところにある。
【００２８】
そのように生成されたデータセットは、次に符号化形式で例えば身分証明文書を発行する中央オフィスに送られる。そこから、符号化データは身分証明文書の作成を任された作成者または組織へと移送され、その人がデータを復号化し、対応する身分証明文書を作成する。以前に受信したデータとは対照的に、身分証明文書の作成者により作成されたこの身分証明文書は次に有形物となり、非常に迅速に申請者に交付することができる。身分証明文書の性質および受領者に応じて、１つのインプランテーションまたは実施が示唆される。
【００２９】
このような方法から生じる利点は、プロセス時間を短縮し、それによってコストを削減することだけではない。むしろ、所有者の写真、署名および／または他のバイオメトリックデータ付きの全種類の身分証明文書を迅速に作成可能であり、この方法によって申請者の同一性を高信頼にチェック可能である。
【００３０】
本発明の方法の好ましい実施形態を、図１を用いて以下でより詳細に説明する。
【００３１】
第１のステップでは、例えば、身分証明文書を発行するオフィスにより指示された個人により、申請者の画像データが適当な記録方法を用いて記録される。
【００３２】
これは、例えば、電子パスポート写真を作成するデジタルカメラを用いて、および／または虹彩の電子画像を記録する虹彩スキャナを用いて、および／または
手書きの署名の電子コピーを生成するタッチスクリーンを用いて、
および／または申請者の指紋の電子コピーを生成する指紋スキャナを用いて行われる。
【００３３】
しかし、追加の画像識別特性として、画像データが公的身分証明文書（身分証明カード、パスポート）の電子画像を含んでもよい。
【００３４】
第２のステップでは、この申請者のテキストデータ（名前、生年月日等）が適当な方法を用いて入力される。これは、例えば、申請者の医療保険証等に記憶された情報を読み取るための読取装置で申請者の身分証明カードを読み取ることによって行われる。
【００３５】
第３のステップでは、記録された画像データおよび入力されたテキストデータから電子データセットが生成される。
【００３６】
第４のステップでは、例えば、データを対応する申請者の公的身分証明書類または文書と比較することによって、データセットが権限のある係員によりチェックされ、必要に応じて訂正または修正される。
【００３７】
第５のステップでは、認定された署名を用いて権限のある係員によりデータセットが好ましくは電子的に署名される。
【００３８】
本発明の方法の別の実施形態については、画像およびテキストデータの少なくとも一部が、既に申請者の所有となっており、既に電子形式で所望の情報を含んでいる身分証明を読み取ることにより記録される。
【００３９】
本発明の方法の別の実施形態については、申請者が既に署名カードを有している場合に、データセットが権限のある係員でなく申請者により署名される。
【００４０】
データの記録は、電子署名を用いて完結されるが、これには申請者が何らかの形で参加しなければならない。身分証明文書を発行するオフィスは、身分証明文書が既知の方法で作成される前に、身分証明カード番号または新たな健康保険番号等の別の情報を署名されたデータセットに加えることができる。署名されたデータセットは、必要に応じて符号化形式で、中央オフィスおよび／またはカード作成者に移送される。
【００４１】
電子署名を求める署名法の要件を満たすために、電子データセットを例えば出力し、追加のステップで印刷することができ、印刷物が申請者により個人的に、好ましくは権限のある係員の監視下でも署名され、その場でもう一度スキャンされることが可能である。そのように生成された署名されたデータセットは、次に権限のある係員によっても電子的に署名され、電子的に記憶される。しかし、署名されたデータセットは、申請者が既に署名カードを有している場合には、申請者自身により署名することもできる。
【図面の簡単な説明】
【００４２】
【図１】本発明の方法の好ましい実施形態を示す図である。
【図１】
2008518335.tif 000003
【国際調査報告】
2008518335.tif 000004
2008518335.tif 000005
2008518335.tif 000006
2008518335.tif 000007
2008518335.tif 000008
2008518335.tif 000009